(57)【要約】【課題】ある一のパネル体の固定をし忘れてもそれを原因とした不具合が生じにくい遊技機を提供すること。【解決手段】遊技盤２７を載置搭載した遊技機本体１４の後方に機構盤１００を配置したパチンコ遊技機であって、遊技盤２７を遊技機本体１４に密着固定させる大型回転係止具３４が作用しておらず、遊技盤２７が遊技機本体１４に密着していない場合において、閉塞に伴って機構盤１００前面の遊技球回収ケース１１７のプレスバー１２７が遊技盤２７を裏面から押圧するため遊技機本体１４に対する遊技盤２７の密着性が保持されることとなる。【選択図】      図１５
2008264279.tif 000002
【特許請求の範囲】
【請求項１】
機能の異なる複数のパネル体を前後方向に重複配置して組み立てるようにした遊技機において、同複数のパネル体から選択された一のパネル体は当該一のパネル体の前方に隣接配置された前方パネル体に対して固定手段によって密着固定させられるとともに、当該一のパネル体の後方に隣接配置された後方パネル体は当該一のパネル体を同前方パネル体に対して押圧するための押圧手段を備えていることを特徴とする遊技機。
【請求項２】
前記押圧手段は前記後方パネル体の前面位置に１つあるいは複数が散点的かつ選択的に配置されていることを特徴とする請求項２に記載の遊技機。
【請求項３】
前記押圧手段は前記一のパネル体の背面側であって前記固定手段の近傍位置を押圧することを特徴とする請求項２に記載の遊技機。
【請求項４】
前記後方パネル体は前記前方パネル体に対して固定手段によって固定されることを特徴とする請求項１〜３のいずれかに記載の遊技機。
【請求項５】
前記押圧手段は前記後方パネル体の前面位置から前方に向かって突起した突起体であり、同突起体は前記一のパネル体に対して弾性を持って当接することを特徴とする請求項１〜４のいずれかに記載の遊技機。
【請求項６】
前記一のパネル体はレール部材によって略円形形状に区画された遊技領域をその前面に有する遊技盤であり、前記前方パネル体は前記遊技盤を載置する載置部と前記遊技領域を露出させる開口部と前面側に遊技球発射機構を備えた遊技機本体であって、
前記遊技領域は前記開口部に面して配置され前記遊技球発射機構から発射された遊技球は助走後に同レール部材側に飛び移るように構成されており、
少なくとも前記固定手段の１つは同遊技盤を背面側の下端寄り位置で同遊技機本体方向に押圧する押圧固定手段であり、前記押圧手段は同押圧固定手段の近傍位置を押圧することを特徴とする請求項１〜５のいずれかに記載の遊技機。
【発明の詳細な説明】
【技術分野】
【０００１】
本発明は、機能の異なる複数のパネル体を前後方向に重複配置して組み立てるようにした遊技機に関するものである。
【背景技術】
【０００２】
従来から例えばパチンコ遊技機やスロットマシンのような遊技機では機能の異なる複数のパネル体を前後方向に重複配置して組み立てるようにしている。このような遊技機の一例として特許文献１のパチンコ遊技機を示す。特許文献１ではその図１２に示すように外枠１１に対して遊技機本体１２を開閉可能に取り付け、この遊技機本体１２の前後に前扉枠１３、遊技盤３０、制御基板ユニット２０１〜２０３を重複状に配置させている。そして、これらのパネル体同士の連結は回転式の係止固定具やナイラッチ（登録商標）と呼称される押し込み式の固定ピン等の固定手段によって行われている。
例えば遊技盤３０は同文献１の図１４に示すように周縁に散点的に配設された複数の係止固定具２１１，２１２によって遊技機本体１２に対して固定（係合）されており、遊技機本体１２側の棚部分に載置された状態で後方に脱落しないように保持されている。
【特許文献１】特開２００５−４１５号公報
【発明の開示】
【発明が解決しようとする課題】
【０００３】
ところが、このような係止固定具２１１，２１２は複数設けられているためにすべてが完全に機能していなくとも遊技盤３０が脱落してしまうことはない。そのため一部の係止固定具２１１，２１２について係合方向に回動操作をするのを忘れたり、回動量が不十分で係合作用が発揮できなかったりしたままで組み立てられてしまうことがある。
この場合に上記のように遊技盤３０の脱落はないものの、遊技盤が遊技機本体１２にしっかりと押しつけられずに本来セットされるべき位置から若干ずれて遊技盤３０が遊技機本体１２対してわずかに傾いて載置されてしまう可能性があった。このような症状は潜在的に各種不具合の原因となると考えられ、特に問題となるのは遊技盤３０と遊技機本体１２の前面側の機構との協調性である。
遊技盤３０はその前面側にレールユニット５０を含む遊技面が配設されており、遊技機本体１２にセットされると遊技機本体１２の開口部から遊技面は前方側に露出されレールユニット５０は遊技機本体１２側に突出されることとなる。そして、レールユニット５０の外レール５２は遊技機本体１２の発射機構から斜め上方に発射されるパチンコ球を受け止める機能を有するため、遊技盤３０のわずかな傾きがパチンコ球のレール部材の滑走の妨げとなる場合があるからである。
【０００４】
このような不具合は例えば特許文献１では図１４に図示された係止固定具２１２が非固定状態（係合解除）となった場合に特に生じやすい。つまり、ちょうどこの係止固定具２１２周辺が遊技盤３０の前面に配置された外レール５２の基部位置裏面に相当するからである。更に、この係止固定具２１２は特許文献１の図１１に示すように制御基板ユニット２０２によって係止固定具２１２が隠されてしまい、すべてのパネル体を汲み上げた段階では係止固定具２１２が背面側からは見えにくくなってしまう。そのため非固定状態となっていることが組み立て完了段階で確認しにくいことも不具合を発見しにくい一因となっていた。
このような不具合は遊技機が複数のパネルを組み合わせて構成するために生じるものである。そのためある一のパネル体の固定をし忘れてもそれを原因とした不具合が生じにくくなるような工夫がこの種の遊技機で求められていた。
本発明は、このような従来の技術に存在する問題点に着目してなされたものである。その目的とするところは、ある一のパネル体の固定をし忘れてもそれを原因とした不具合が生じにくい遊技機を提供するものである。
【課題を解決するための手段】
【０００５】
上記の目的を達成するために請求項１の発明では、機能の異なる複数のパネル体を前後方向に重複配置して組み立てるようにした遊技機において、同複数のパネル体から選択された一のパネル体は当該一のパネル体の前方に隣接配置された前方パネル体に対して固定手段によって密着固定させられるとともに、当該一のパネル体の後方に隣接配置された後方パネル体は当該一のパネル体を同前方パネル体に対して押圧するための押圧手段を備えていることをその要旨とする。
【０００６】
上記のような構成では、一のパネル体が前方パネル体に対して固定手段によって密着固定させられる場合に、固定手段が作用せずに一のパネル体が前方パネル体に対して密着しない場合がありうる。そのような場合であっても後方パネル体が押圧手段によって一のパネル体を同前方パネル体に対して押圧するため一のパネル体の前方パネル体に対する密着性が保持される。
ここに「前方パネル体」とは相対的に一のパネル体に対して前方（遊技者側）に配置されるパネル体をいい、「後方パネル体」とは相対的に一のパネル体に対して後方（遊技者側とは反対側）に配置されるパネル体をいう。
【０００７】
また、上記の目的を達成するために請求項２の発明では請求項１に記載の発明の構成に加え、前記押圧手段は前記後方パネル体の前面位置に１つあるいは複数が散点的かつ選択的に配置されていることをその要旨とする。
このように押圧手段は後方パネル体の前面位置において押圧に適した選択された位置にピンポイント的に形成されることとなるため、一のパネル体のすべてを均等に押圧するのではなく特に押圧が必要と考えられる部分を選択して配置することができる。また、複数の押圧手段をバランスよく配置することで全体として均等に押圧力が分散される。
【０００８】
また、上記の目的を達成するために請求項３の発明では請求項１又は２に記載の発明の構成に加え、前記押圧手段は前記一のパネル体の背面側であって前記固定手段の近傍位置を押圧することをその要旨とする。
一般に固定手段は一のパネル体の固定のためのバランスを考慮して配設されている。そのため、特に固定手段の近傍位置を押圧手段が押圧することは当該固定手段が作用していない場合に一のパネル体の固定バランスが維持されることとなる。
【０００９】
また、上記の目的を達成するために請求項４の発明では請求項１〜３のいずれかに記載の発明の構成に加え、前記後方パネル体は前記前方パネル体に対して固定手段によって固定されることをその要旨とする。
これによって後方パネル体は前方パネル体に対して固定手段によって固定されつつ押圧手段で一のパネル体を押圧することとなる。従って、後方パネル体を固定をすると自動的に一のパネル体を押圧することが可能となる。
【００１０】
また、上記の目的を達成するために請求項５の発明では請求項１〜４のいずれかに記載の発明の構成に加え、前記押圧手段は前記後方パネル体の前面位置から前方に向かって突起した突起体であり、同突起体は前記一のパネル体に対して弾性を持って当接することをその要旨とする。
このような構成では、突起体によって一のパネル体の所定位置をピンポイント的に押圧するとともに、突起体は弾性を有するため一のパネル体に当接した際の衝撃が緩和され一のパネル体や後方パネル体あるいは突起体にダメージが生じにくい。
【００１１】
また、上記の目的を達成するために請求項６の発明では請求項１〜５のいずれかに記載の発明の構成に加え、前記一のパネル体はレール部材によって略円形形状に区画された遊技領域をその前面に有する遊技盤であり、前記前方パネル体は前記遊技盤を載置する載置部と前記遊技領域を露出させる開口部と前面側に遊技球発射機構を備えた遊技機本体であって、前記遊技領域は前記開口部に面して配置され前記遊技球発射機構から発射された遊技球は助走後に同レール部材側に飛び移るように構成されており、少なくとも前記固定手段の１つは同遊技盤を背面側の下端寄り位置で同遊技機本体方向に押圧する押圧固定手段であり、前記押圧手段は同押圧固定手段の近傍位置を押圧することをその要旨とする。
一のパネル体がこのような遊技盤であれば、押圧固定手段が作用していない場合には遊技機本体に載置された状態で遊技盤がしっかりと密着していない状態が生じる可能性がある。特に遊技機本体側の遊技球発射機構から発射された遊技球は助走後に遊技盤側のレール部材に飛び移りレール部材を滑走するのであるが、遊技盤がしっかりと遊技機本体に密着していないとパチンコ球は設計通りに滑走できずいわゆるパチンコ球の「飛びむら」が生じてしまう可能性がある。
ところが、このように遊技盤を背面側の下端寄り位置で同遊技機本体方向に押圧するため、押圧固定手段を作用させるのを失念しても遊技盤は遊技機本体にしっかりと密着し、密着性が悪いことに基づくパチンコ球の「飛びむら」が生じることがなくなる。
【発明の効果】
【００１２】
上記請求項１〜６に記載された発明では、一のパネル体の固定をし忘れても後方パネル体の押圧手段によって一のパネル体を押圧するため、一のパネル体が固定されていないことに基づく不具合が生じにくいこととなる。
【発明を実施するための最良の形態】
【００１３】
以下、本発明の各実施の形態について図面に基づいて説明する。
図１〜図４に示すように、パチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。前方パネル体としての遊技機本体１４はパチンコ遊技機の構造的な中核を形成する正面視において長方形形状をなすパネル状の構成部材であって、外枠１２内において幕板１３上に配置されている。図１〜図３に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図３参照）を軸心として前方側に開放可能とされている。図３又は図４等に示すように、遊技機本体１４は開閉軸線Ｐ側とは逆側の側縁に上下方向に間隔を開けて３箇所にラッチ機構Ｌ１が配設されている。ラッチ機構Ｌ１は遊技機本体１４が外枠１２に対して閉塞された際に外枠１２側の挿入溝Ｄ１に挿入されて係合しロック状態とされる。ロック状態の解除（つまり遊技機本体１４の外枠１２に対する開放）は遊技機本体１４前面のキー装置Ｋのキー操作によって行われる。
【００１４】
図３及び図７に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
【００１５】
遊技機本体側機構部１６の上方には遊技盤取り付けスペース２５が形成され、遊技盤２７が同スペース２５内に配設されている。同スペース２５は遊技盤２７が載置される載置部としての棚部２８と、略楕円形状に切り欠き形成された開口部としての窓孔２９と遊技盤２７がはめ込まれる遊技盤２７の外郭形状に略一致した凹部３０とを有している。凹部３０の前面、つまり窓孔２９の周囲には遊技盤２７が凹部３０内に嵌合された状態でその前面部分が当接される前面板部３０ａとされている。
図３、図５及び図９に示すように、木製の遊技盤２７の外郭は変形長方形形状とされ、棚部２８に載置された状態で固定手段としての６つの回転固定具３２〜３４によって遊技機本体１４に対して固定される。遊技盤２７は固定具３２〜３４が作用している（つまり係合している）状態で前板部３０ａに密着させられている。
図９は遊技機本体１４に載置された遊技盤２７の背面から見た場合の固定具３２〜３４の配設位置を示す概略図である。同図に示すように、遊技機本体１４の左右両側にはそれぞれ上下に所定間隔離間して回転係止金具３２ａ〜３２ｄが配設されており、遊技盤２７の左右縁部分に係合する。遊技機本体１４の上方にはプラスチック製の回転係止具３３が配設されており、遊技盤２７の上縁を後述する機構盤１００と共締め状態に係合する。遊技機本体１４の下方にはプラスチック製の大型回転係止具３４が配設されており、遊技盤２７の下縁に係合する。遊技盤２７の下縁側に大型回転係止具３４を配設したのは立設される遊技盤２７の基部位置であるため前後方向のズレがないようにしっかりと前板部３０ａに密着させる必要性と下部側の方にかかる荷重が大きいためである。
【００１６】
パネル体をなす遊技盤２７には遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。図８に示すように可変表示ユニット３５は遊技盤２７背面に配置される表示制御装置３７を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかったパチンコ球はアウト口４２を通って図示しない球排出路の方へと案内されるようになっている。遊技盤２７の表面には、パチンコ球の落下方向を適宜分散、調整等するために多数の遊技釘が植設されている。また、風車４３等の各種部材（役物）が配設されている。
【００１７】
遊技盤２７の遊技面２７ａ上には、レール部材としての外レール５１と内レール５２が装着されている。遊技盤２７が遊技機本体１４の遊技盤取り付けスペース２５に配設された状態で両レール５１，５２及び前記遊技機本体１４側の窓孔２９を包囲する壁面３１の一部によって遊技面２７ａに遊技領域が画定されている。
図８に示すように、外レール５１は前記遊技球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００１８】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
【００１９】
外レール５１及び内レール５２は帯状の同幅に形成されたステンレス製薄板条体から構成されている。図６に示すように、両レール５１，５２の一側には適度な間隔を開けて釘５３が突設されている。両レール５１，５２は遊技面２７ａ側縁部に対して釘５３を食い込ませて固定されている。両レール５１，５２は遊技面２７ａに対して前方に向かって略垂直に立設されている。外レール５１の先端と内レール５２の基端との間には両レール５１，５２は配設されておらず、窓孔２９の内周壁５６によって遊技領域が画定されている。内側壁５６は両レール５１，５２の曲率に略応答した曲率で弧状の壁面として構成されている。
【００２０】
パチンコ球は遊技球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、遊技球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出されたパチンコ球は落下しながら遊技釘、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球及びアウト口４２に導かれたアウト球は排出通路４４（図２及び図５参照）を経て後述する機構盤１００側の遊技球回収ケース１１７の排出通路１２５に集合し、機外に一旦放出される。
【００２１】
次に遊技盤２７の背面構成について図４及び図５に基づいて説明する。
可変表示ユニット３５の背面側には可変表示ユニット３５を後方から包囲するセンターカバー６１が配設され、センターカバー６１の後端位置に表示制御装置６２が配設されている。表示制御装置６２の基板ボックス６３は軸受け部６４を備えており、センターカバー６１側の支持ピン６５に対して回動可能に軸支され、ナイラッチ６６によって固着されるようになっている。
表示制御装置６２の下方位置にはアンダーカバー６７を介して主制御装置６８が配設されている。主制御装置６８は全体の制御を司るメインＣＰＵ、遊技プログラムを記憶したＲＯＭ、遊技の進行状況に応じて必要なデータを記憶するＲＡＭ、音声や表示ランプ等の制御を行うサブＣＰＵ、クロックパルス発生回路、各種ポート等から構成されている。主制御装置６８の基板ボックス７１は軸受け部７２を備えており、アンダーカバー６７側の支持ピン７３に対して回動可能に軸支され、ナイラッチ７４によって固着されるようになっている。表示制御装置６２及び主制御装置６８は着脱可能である。図１０に示すように、背面側から見て、表示制御装置６２は回動軸線Ａを中心に左開き、主制御装置６８は回動軸線Ｂを中心に右開きとされている。
【００２２】
図１に示すように、遊技機本体１４の前面にはそれぞれパネル体としての扉枠８１と扉パネル８２が配設されている。扉枠８１はプレス成形された合金製の板体であり、扉パネル８２はＡＢＳ樹脂製のパネル体である。扉枠８１及び扉パネル８２は図示しないネジによって接合されて前面扉８３を構成する。図１、図３に示すように、前面扉８３の外郭は遊技機本体１４の正面から見た外郭と略一致した長方形形状の外郭の正面形状を有している。前面扉８３は遊技機本体１４に対して開閉可能に取り付けられている。前面扉８３（扉枠８１）は遊技機本体１４と同様前記開閉金具１５ａ，１５ｂの開閉軸線Ｐと同軸に取り付けられた開閉金具８４を軸心として前方側に開放可能とされている。そのため、遊技機本体１４は外枠１２に対して開閉可能とされるとともに、前面扉８３は外枠１２と遊技機本体１４のそれぞれに対して独立して開閉可能とされている。
図３に示すように、遊技機本体１４は開閉軸線Ｐ側とは逆側の側縁に上下方向に間隔を開けて３箇所にラッチ機構Ｌ２が配設されている。ラッチ機構Ｌ２は前面扉８３が遊技機本体１４に対して閉塞された際に遊技機本体１４側の挿入溝Ｄ２に挿入されて係合しロック状態とされる。ロック状態の解除は遊技機本体１４背面側からの図示しない解除装置の操作によって行われる。
【００２３】
前面扉８３には遊技者が遊技面２７ａを目視するための窓部としての目視用窓孔８５が形成されている。目視用窓孔８５の背面側には窓ガラス８６が配設されている。前面扉８３の前面側であって、目視用窓孔８５の左右及び上方には前方に膨出した装飾用パネル８７が配設されている。扉枠８１にはスピーカ装置８８や装飾ランプ８９が配設されている。目視用窓孔６１の下方位置には、前側へ膨出した第１の膨出部９０が設けられ、その第１の膨出部９０内側が上受け皿９１とされている。上受け皿９１は後述する払い出し装置１０４より払い出され、上部パチンコ球流入路２１から流入し流入通路９６（図３参照）を介して供給されるパチンコ球を一旦貯留し、一列に整列させながら遊技球発射ユニット１７に導くための球貯留部である。
【００２４】
第１の膨出部９０の下方位置には、前側へ膨出した第２の膨出部９２が設けられ、その第２の膨出部９２内側が下受け皿９３とされている。下受け皿９３内にはバイパス通路２３及びファール球通路２４からパチンコ球が流下する下部流出口９４が配設されている。下受け皿９３は上受け皿９１のパチンコ球の貯留量が多すぎる場合や遊技者の能動的な操作に基づいて上受け皿９１から流下させたパチンコ球を貯留するための補助的な球貯留部である。
装飾用パネル８７、第１及び第２の膨出部９０，９２は全体としてデザイン的な統一が図られている。正面から見て下受け皿９３の左方には灰皿９５が配設されている。下受け皿９３の右方には遊技球発射ユニット１７と連動するパチンコ球打ち出し用ハンドル９７が前方に突出形成されている。ハンドル９７の上方位置には透孔９８が形成されており前面扉８３の閉塞状態で上記キー装置Ｋの前面のキー孔が露出される。
【００２５】
次に、遊技機本体１４の背面側に配設される後方パネル体としての機構盤１００の構成について説明する。
機構盤１００は遊技機本体１４に対して着脱可能に取着されており、遊技盤２７は遊技機本体１４と本機構盤１００に前後から挟まれるように配置されている。
図１〜図４、及び図６に示すように、機構盤１００は遊技機本体１４よりも一回り小さな長方形形状のポリカーボネート製のフレーム１０１をベースとし、フレーム１０１に対して各種構成部品が固着されて構成されている。フレーム１０１は上部フレーム１０１ａ、側部フレーム１０１ｂ、下部フレーム１０１ｃ及び連結フレーム１０１ｄが連接され一体的に構成され、中央に大型方形の開口部Ｓを有している。
機構盤１００の最上部位置、つまり上部フレーム１０１ａに隣接した位置にはタンク１０２が配設されている。タンク１０２には遊技ホールの島設備から新たなパチンコ球が供給される。タンク１０２の下部隣接位置にはタンクレール１０３が配設されている。タンクレール１０３の下流側（図２における右側、図６における左側）には側部フレーム１０１ｂの背面に沿って上下方向に延びるケースレール１０５が配設されている。ケースレール１０５の途中には払い出し装置１０４が配設されている。パチンコ球はタンクレール１０３からケースレール１０５に案内され、後述する払い出し制御装置１１０による払い出し装置１０４の制御に基づいて適宜払い出しされる。払い出し装置１０４の下部位置であってケースレール１０５と重複状に外部電源基板１０６が配設されている。外部電源基板１０６は変圧器を介して供給される電源を遊技機全体に供給するためのメイン基板とされる。
【００２６】
タンクレール１０３の下部位置でありケースレール１０５、払い出し装置１０４及び外部電源基板１０６の側方位置には表示制御装置６２のすべてと主制御装置６８の上方寄り部分を覆う保護カバー１０７が配設されている。機構盤１００の最下部位置、つまり下部フレーム１０１ｄ位置であってその背面側には払い出し等制御ユニット１０９が配設されている。払い出し等制御ユニット１０９は基板ボックス１１０に格納された払い出し制御装置１１１、発射制御装置１１２及び内部電源基板１１３等から構成されている。払い出し制御装置１１１は賞球の払い出しの制御を司る。発射制御装置１１２は遊技者のハンドル９７操作に基づくパチンコ球の発射モードの制御を司る。内部電源基板１１３は各種制御基板における所定の電源電圧の制御を行う。
払い出し等制御ユニット１０９に隣接した側方位置（外部電源基板１０６の下方）には払い出し中継基板１１４が配設されている。払い出し中継基板１１４は払い出し制御装置１１１からの払い出し装置１０４への払い出し信号の出力を中継する役割を果たす。タンクレール１０３の側方（図２における右方）の上部フレーム１０１ａには外部端子接続基板１１５が配設されている。同基板１１５に隣接する位置には上記回転係止具３３が係止される小判形状の長孔１１６が配設されている。
【００２７】
図６に示すように、下部フレーム１０１ｄの前面側には遊技球回収ケース１１７が着脱可能に配設されている。図６、図１１及び図１２に示すように、遊技球回収ケース１１７は背板１１８を境にして前面側がリブ１１９によって補強された補強部１１８ａとされた前後の厚みの薄い平たい箱形状をなしている。遊技球回収ケース１１７の天板１２０は後方に下がるように傾斜して構成されており、遊技球排出通路４４から落下した遊技球を後方に導くようになっている。リブ１１９は補強と同時に外部からの針金等による不正アクセスをしにくくする役割も果たしている。天板１２０の側方位置には上方に張り出す張り出し板部１２０ａが形成されており、同張り出し板部１２０ａの後方位置に中継ダクト１２１が連結されている。図１６（ａ）及び（ｂ）に示すように中継ダクト１２１は内部に屈曲した中継通路１２１ａが形成され、張り出し板部１２０ａに形成された開口部１２６に連通されている。上記ケースレール１０５から供給されるパチンコ球は中継ダクト１２１を通って遊技機本体１４側の上部パチンコ球流入路２１方向に導びかれ上受け皿９１あるいは下受け皿９３に供給される。
図６に示すように、補強部１１８ａ側には遊技盤２７側の大型回転係止具３４が収容される凹部１２２が形成されている。背板１１８を境にした背面側１１８ｂには落下した遊技球を中央方向に集合させる第１及び第２の傾斜通路１２３，１２４が形成されている。第１の傾斜通路１２３は第２の傾斜通路１２４に接続され排出通路１２５に連通させられている。排出通路１２５に導かれたパチンコ球は一旦外部に排出される。
【００２８】
図３、図４、図６及び図１３（ａ）〜（ｃ）に示すように、遊技球回収ケース１１７の前面側であって、凹部１２２を構成するリブ１１９の天板１２０との交叉位置に前方に突起する押圧手段としてのプレスバー１２７が一体的に形成されている。プレスバー１２７は前方からの目視形状で略Ｔ字状の外形形状とされ、先端寄り両側に抜け止めとしての膨出部１２７ａが形成されている。プレスバー１２７の先端には合成ゴム製のキャップ１２８が冠着されている。
機構盤１００は側部フレーム１０１ｂに沿って取り付け金具１２９が配設されており、取り付け金具１２９の上下所定位置には支持ピン１３３が下向きに突設されている。機構盤１００は支持ピン１３３によって遊技機本体１４の背面側に形成された軸受け部１３４に対して回動可能に軸支されている。図１０に示すように、背面側から見て機構盤１００は回動軸線Ｃを中心に右開きとされている。機構盤１００は遊技機本体１４に対してナイラッチ１３０、回転係止具３３及び回転係止金具１３１によって固着されるようになっている。まず、機構盤１００を回動軸線Ｃを中心に回動させて遊技機本体１４側に押し付け、ナイラッチ１３０を遊技機本体１４のピン孔１３２（図４、図５参照）に対して挿入係合させることによって仮留めさせた状態で上方側で回転係止具３３を係合させるとともに、下方側で回転係止金具１３１を係合させることで完全に固着されることとなる。図２及び図１０に示すように、機構盤１００が遊技機本体１４に固着された状態で下方側の回転係止金具１３１及び大型回転係止具３４は機構盤１００が邪魔となって背面側から目視することはできない。
【００２９】
次に、このように構成されたパチンコ遊技機１１における遊技盤２７、機構盤１００及び遊技機本体１４周辺の構成に基づく作用について説明する。
遊技盤２７を遊技機本体１４の棚部２８に載置させ回転固定具３２〜３４によって遊技盤２７を遊技機本体１４に対して固定するものとする。この時、図１４に示すように大型回転係止具３４を遊技盤２７に係合させなかった場合には遊技盤２７の下方位置が前板部３０ａに密着せずに隙間Ｓが形成されてしまう場合がある。このように遊技盤２７が遊技盤取り付けスペース２５に正しく配置されないと、遊技盤２７前面側の、外レール５１が遊技機本体１４側の遊技球発射ユニット１７の補助レール２０とわずかにオフセットされて配置されてしまうこととなる。また外レール５１自体も若干前下がりに配置されてしまうこととなる。もし、遊技盤２７がこのような状態で配置されたとするとそのことが原因で打ち出されたパチンコ球が滑走面と必要以上に強い摩擦で接したり窓ガラス８６に衝突したり等本来の動きとは異なる挙動を示して遊技の支障を来してしまうこととなる。いわゆる「飛びむら」である。
しかし、本実施の形態では図１４及び図１５に示すようにパチンコ遊技機１１の組立に伴って機構盤１００を遊技機本体１４に固着させると、同時にプレスバー１２７の先端のキャップ１２８が図５及び図９に示すプレス位置ＰＳを押圧することとなっている。そのため遊技盤２７の下方位置に前板部３０ａとの間に隙間Ｓが形成されていても遊技盤２７は押されて図１５に示すように本来の位置に修正配置されることとなる。
【００３０】
以上のように構成することによって上記実施の形態では次のような効果を奏する。
（１）万一大型回転係止具３４を遊技盤２７に係合させるのを忘れてしまって遊技盤２７の下方位置が前板部３０ａに密着しない場合であっても、あるいは例え遊技盤２７に大型回転係止具３４を設けなくとも、機構盤１００のセットに伴ってプレスバー１２７に押圧されて自動的に位置修正された遊技盤２７が本来の正しい配置位置である前板部３０ａに密着するため、遊技球発射ユニット１７から発射されたパチンコ球が「飛びむら」を起こして遊技に支障を来すという不具合が生じることがなくなる。
（２）遊技盤２７の前板部３０ａへの密着に最も影響のある固定手段である大型回転係止具３４は通常は機構盤１００を閉鎖状態に配設すると背面からは目視できない。従って、大型回転係止具３４が係合状態にあるかどうかは一旦機構盤１００を閉鎖した後では確認しにくいため最終チェックでも見落としがちとなってしまう。ところが、このように構成したため大型回転係止具３４が目視できなくとも不具合が生じることはない。
（３）プレスバー１２７の先端には弾性のあるキャップ１２８を装着しているため、これが緩衝作用を有することとなってプレスバー１２７の基部が損傷したり当接側の遊技盤２７が傷ついたりすることが少なくなる。
（４）プレスバー１２７は大型回転係止具３４の近傍であって、なおかつ大型回転係止具３４と干渉しない位置をプレス位置Ｐとしている。つまり、大型回転係止具３４がどのような回転状態にあっても当たることがないので、押圧作用が大型回転係止具３４によって阻害されることがない。なおかつ、本来の固定手段である大型回転係止具３４の係合位置に近い位置を押圧するため、遊技盤２７の正しい位置への修正移動が速やかに実行されることとなる。
（５）押圧手段であるプレスバー１２７は機構盤１００のフレーム１０１とは別体で着脱可能な遊技球回収ケース１１７に形成されているため、損傷した場合でもプレスバー１２７のみを交換すればよくコスト性に優れている。
【００３１】
本発明は以下のような態様に変更して実施することが可能である。
・上記プレスバー１２７を図１７及び図１８（ａ）（ｂ）に示すような固定手段に構成に変更して実施することも可能である。図１７に示すように、遊技球回収ケース１１７の補強部１１８ａには凹部１２２に隣接する桝１３５内であって天板１２０の下面に下方が開放されたボックス体１３６が一体形成されている。ボックス体１３６の前面壁１３７には第１の透孔１３８が形成され、背板１１８の対応位置には第２の透孔１３９が形成されている。ボックス体１３６内にはプレスバー１４０が配設されている。プレスバー１４０はバー本体１４１と先端のバー本体１４１よりも大経の弾性キャップ１４２から構成されている。プレスバー１４０の外周には脱落防止リング１４３とコイルバネ１４４が配設されている。第２の透孔１３９の背後には蓋部材１４５がネジ１４６によって締着されている。蓋部材１４５には第２の透孔１３９よりも小経の第３の透孔１４７が形成されている。プレスバー１４０は弾性キャップ１４２が前方に配置されるように第１及び第３の透孔１３８，１４７に前後方向に進退可能に懸架されている。
このような構成では弾性キャップ１４２に加えてコイルバネ１４４の緩衝作用も加わるためプレスバー１４０やボックス体１３６が損傷したり当接側の遊技盤２７が傷ついたりすることが少なくなる。また、プレスバー１４０の進退量が大きいためなんらかの原因で非常に大きな負荷がプレスバー１４０にかかる場合にプレスバー１４０が後退することで損傷を防止することもできる。
【００３２】
・上記実施の形態ではプレスバー１２７，１４０は１つだけを配設するようにしていたが、図１９に示すように、所定間隔で複数を配設するようにしてもよい。図１９では特に遊技盤２７の下方を押圧するように配置しており、遊技盤２７の傾きの修正にはより望ましい。
・上記実施の形態では後方パネル体として機構盤１００を採用したが、他の機能を有するパネル体に応用することも自由である。
・上記実施の形態では機構盤１００の遊技球回収ケース１１７を介して遊技盤２７の大型回転係止具３４の近傍を押圧するように構成されていた。しかし、機構盤１００がこのように一体化されておらず、機構盤が複数の分割体として構成されている場合には当該プレス位置Ｐに正対する機構盤あるいは機構盤ではなく他のパネル体をもって後方パネル体とすることも自由である。
・遊技盤２７には必ずしも大型回転係止具３４を設けなくとも構わない。
・上記実施の形態では後方パネル体である機構盤１００は前方パネル体である遊技機本体１４に固着させるようにしていたが、後方パネル体は必ずしも前方パネル体に対して固着しなければならないものではない。
・固定手段としては回転式の機構以外に上記ラッチ機構Ｌ１，Ｌ２と挿入溝Ｄ１，Ｄ２のような挿入式の固定手段を使用することも可能である。
・押圧手段の形状は上記プレスバー１２７，１４０のような棒状のものに限定されるものではない。
・上記実施の形態のパチンコ遊技機１１以外の機種に応用することも自由である。またパチンコ遊技機以外のいわゆるパチロットに応用することも可能である。
その他、本発明の趣旨を逸脱しない態様で実施することは自由である。
【００３３】
上記請求項に適宜追加可能な上記実施の形態から把握できる本発明のその他の技術的思想について下記に付記として説明する。
（１）上記請求項において、前記後方パネル体は前記一のパネル体の外周全域を包囲していること。
つまり、後方パネル体は一のパネル体の周囲すべてに及んでいるため、後方パネル体自体が非常にしっかりと固定されることとなっており、その結果後方パネル体に押圧される一のパネル体も安定して押圧されることとなる。
（２）上記請求項又は付記において、前記後方パネル体は上方位置で前記一のパネル体とともに前記前方パネル体に対して固定手段によって固定され、同固定手段の固定状態は同後方パネル体の背面側から目視できるととともに、下方位置で同一のパネル体は押圧手段によって押圧されること。
つまり、後方パネル体と一のパネル体とは一緒に前方パネル体に対して上方位置で固定されていることである。上記実施例では回転係止具３３が相当する。これによって上方側の密着性が向上し、下方位置で押圧手段によってやはり密着性が増すため上方位置以外の固定手段のロックを忘れても概ね一のパネル体の前方パネル体への密着性は維持される。  （３）上記請求項又は付記において（請求項６の構成を含む場合）において、押圧固定手段は後方パネルの背後から目視できないこと。
このような構成では、押圧固定手段が後方パネルの背後から目視できなければ押圧固定手段がロック方向に機能していないことが作業者等にとって分からないため、押圧固定手段が作用しないケースが増えると考えられるが、押圧手段によって押圧固定手段の近傍位置を押圧するため遊技盤は遊技機本体にしっかりと密着し、密着性が悪いことに基づくパチンコ球の「飛びむら」が生じることがなくなる。
（４）上記請求項又は付記において（請求項６の構成を含む場合）、押圧手段は前記レール部材の下端寄り背面位置付近に当接すること。
遊技盤の下端寄りにレール部材の基部が配設されているため、この付近を押圧することがもっとも遊技盤を密着させる場合の効果が大きくなるからである。また、遊技盤の下端寄りは後方パネル体によって固定手段が見にくいためでもある。
（５）上記請求項又は付記において（請求項６の構成を含む場合）、複数の押圧手段は遊技盤の下端寄りを略水平方向に間隔をおいて当接すること。
遊技盤が載置される遊技機本体の載置部に沿った部分をしっかりと遊技機本体側に密着されることが遊技盤全体の密着性の観点からも好ましいからである。
（６）上記請求項又は付記において、押圧手段はコイルバネの付勢力によって進退する当接部材によって前記一のパネル体に当接すること。
コイルバネは嵩張らずパネル体のような狭い場所に配設するのには適しているからである。また、進退量が大きいため大きな負荷が係った場合に部材を損傷させることがなくなる。尚、他の付勢手段（板バネ、クッション材）を使用することも可能である。
（７）前記突起体には着脱可能に弾性体が冠着されていること。
これによって弾性体が劣化した場合に弾性体のみを取り替えることが可能である。
【図面の簡単な説明】
【００３４】
【図１】本発明を応用した実施の形態のパチンコ遊技機の正面図。
【図２】同じパチンコ遊技機の背面図。
【図３】同じパチンコ遊技機の分解斜視図。
【図４】同じパチンコ遊技機の機構盤を開放した状態の斜視図。
【図５】同じパチンコ遊技機において遊技機本体に遊技盤をセットした状態の背面図。
【図６】同じパチンコ遊技機における機構盤の正面図。
【図７】同じパチンコ遊技機における遊技機本体の正面図。
【図８】同じパチンコ遊技機において遊技機本体に遊技盤をセットした状態の正面図。
【図９】遊技機本体に対する遊技盤の固着状態を説明する概略説明図。
【図１０】遊技機本体に対する機構盤の固着状態を説明する概略説明図。
【図１１】遊技球回収ケースの背面図。
【図１２】図１１のＡ−Ａ線における遊技球回収ケースの断面図。
【図１３】（ａ）及び（ｂ）はプレスバー付近の拡大斜視図、（ｃ）は同じく拡大平面図。
【図１４】遊技盤が傾斜して遊技機本体にセットされている場合における機構盤側のプレスバーが未だプレス位置を押圧していない状態の説明図。
【図１５】機構盤側のプレスバーが遊技盤を押圧して遊技機本体上の本来のセット位置に遊技盤が移動した状態の説明図。
【図１６】（ａ）は中継ダクトの斜視図、（ｂ）は断面図。
【図１７】他の実施の形態のプレスバー付近の拡大斜視図。
【図１８】他の実施の形態における（ａ）はプレスバーの装着途中の断面図、（ｂ）はプレスバーの装着完了状態の断面図。
【図１９】他の実施の形態の機構盤における遊技球回収ケース付近の部分正面図。
【符号の説明】
【００３５】
１１…パチンコ遊技機、１４…前方パネル体としての遊技機本体、２７…遊技盤、３２〜３４…固定手段としての回転固定具、１２７，１４０…押圧手段としてのプレスバー、１００…後方パネル体としての機構盤。
【図１】
2008264279.tif 000003
【図２】
2008264279.tif 000004
【図３】
2008264279.tif 000005
【図４】
2008264279.tif 000006
【図５】
2008264279.tif 000007
【図６】
2008264279.tif 000008
【図７】
2008264279.tif 000009
【図８】
2008264279.tif 000010
【図９】
2008264279.tif 000011
【図１０】
2008264279.tif 000012
【図１１】
2008264279.tif 000013
【図１２】
2008264279.tif 000014
【図１３】
2008264279.tif 000015
【図１４】
2008264279.tif 000016
【図１５】
2008264279.tif 000017
【図１６】
2008264279.tif 000018
【図１７】
2008264279.tif 000019
【図１８】
2008264279.tif 000020
【図１９】
2008264279.tif 000021